(57)【要約】【課題】写真用ロールフイルムの製造コストを下げる。【解決手段】トレーラ部３０には、切れ込み３１が設けられ、切れ込み３１の内側部分で脚部３４、係止部３５からなる封印部材３３が形成されている。脚部３４は帯状であり、折り返し端３２から写真フイルム２３方向へ向けて形成されている。係止部３５は、脚部側の幅方向外側に挿入部３５ａが設けられ、先端側は傾斜部３１ｃによって幅が狭められている。封印部材３３を折り返し端３２より折り返して、撮影済みのロールフイルムの外周に巻き付けていくと、挿入部３５ａが傾斜部３１ｃの外側部分と重複する。傾斜部３１ｃの外側部分の内周側に挿入部３５ａを挿入すると、係止部３５が切れ込み３１によって係止され、撮影済みのロールフイルムが封印される。【選択図】        図３
2004245884.tif 000002
【特許請求の範囲】
【請求項１】
帯状の写真フイルムと、この写真フイルムの少なくとも前後に設けられた遮光紙と、これらが巻き付けられるスプールとからなり、前記遮光紙のうち外周側に巻き付けられる遮光紙の端部が巻き付け面に固定され封印される写真用ロールフイルムにおいて、
前記外周側に巻き付けられる遮光紙の端部近傍から遮光紙の長手方向に向かって帯状に延びる脚部と、この脚部から幅方向両外側に広がる挿入部と、少なくとも一部が前記挿入部より挟幅となっている先端部とからなる封印部材を、前記外周側に巻き付けられる遮光紙に設けた一連の切れ込みの内側部分によって形成し、
前記封印部材を前記脚部の根本から折り返し、折り返されることによって残された前記先端部を形成する切れ込みの外側部分と折り返された挿入部とが重なる位置まで外周に巻き付けた後、前記先端部を形成する切れ込みの外側部分の内周側に前記挿入部を挿入して係止することにより、前記封印を行うことを特徴とする写真用ロールフイルム。
【発明の詳細な説明】
【０００１】
【発明の属する技術分野】
本発明は、写真用ロールフイルムに関するものであり、さらに詳しくは、写真フイルムと、写真フイルムの少なくとも前後に設けられた遮光紙と、これらが巻き付けられるスプールとからなり、外周側に巻き付けられた遮光紙の端部が巻き付け面に固定されて封印される写真用ロールフイルムに関する。
【０００２】
【従来の技術】
ブローニータイプの写真用ロールフイルムは、約６ｃｍ幅の帯状の写真フイルムをスプールに巻き付けたもので、１２０タイプと２２０タイプのものが良く知られている。１２０タイプの写真用ロールフイルムは、写真フイルムよりも長い遮光紙を用い、写真フイルムの前後及びベース面全体を覆うことで、写真フイルムを光密に収納するものである。
【０００３】
一方、２２０タイプの写真用ロールフイルムは、遮光リーダ、遮光トレーラとよばれる遮光紙を写真フイルムの前後両側に接合することにより写真フイルムを光密に収納したものである。２２０タイプの写真用ロールフイルムは、１２０タイプの写真用ロールフイルムと比べ、写真フイルムの長さが約２倍となっている。
【０００４】
未使用の写真用ロールフイルムは、写真フイルムの後側に設けられた遮光紙からスプールに巻き付けられ、写真フイルムの前側に設けられた遮光紙の端部が粘着性のテープや、接着材などによって、巻き付け面に張り付けられている。一方、撮影の際は、写真フイルムの前側に設けられた遮光紙から別のスプールに巻き付けられていく。撮影が終了して、写真フイルムの後側に設けられた遮光紙が巻き付けられると、この写真フイルムの後側に設けられた遮光紙の端部が粘着性のテープや接着剤などによって巻き付け面に張り付けられて封印される。
【０００５】
また、下記特許文献１には、遮光紙の形状に工夫を施すことによって粘着性のテープや接着剤によらずに封印を行えるようにした写真用ロールフイルムが記載されている。この写真用ロールフイルムでは、遮光紙にスリットと両側が鋸刃状となっている先端部とを設けて、先端部をスリットまで巻き付けた後、このスリットに挿入して、スリットと嵌合させることによって封印を行うようにしている。
【０００６】
【特許文献１】
特開２００１−２５５６３０号公報
【０００７】
【発明が解決しようとする課題】
しかしながら、上記公報記載の方法では、スリットを形成する際に工程内にスリットの抜きくずが発生してしまう。また、スリットに挿入して封印を行うための先端部分を遮光紙に設けなければならないので、遮光紙全体の長さが長くなってしまいコストがかかってしまうといった問題があった。
【０００８】
本発明は、上記問題を解決するためになされたものであり、製造コストを抑えることのできる写真用ロールフイルムを提供することを目的としている。
【０００９】
【課題を解決するための手段】
上記目的を達成するために、本発明の写真用ロールフイルムは、外周側に巻き付けられる遮光紙の端部近傍から遮光紙の長手方向に向かって帯状に延びる脚部と、この脚部から幅方向両外側に広がる挿入部と、少なくとも一部が前記挿入部より挟幅となっている先端部とからなる封印部材を、前記外周側に巻き付けられる遮光紙に設けた一連の切れ込みの内側部分によって形成し、前記封印部材を脚部の根本から折り返し、折り返されることによって残された先端部を形成する切れ込みの外側部分と折り返された挿入部とが重なる位置まで外周に巻き付けた後、前記先端部を形成する切れ込みの外側部分の内周側に前記挿入部を挿入して係止することにより封印を行うことを特徴としている。
【００１０】
【発明の実施の形態】
以下、本発明の写真用ロールフイルムについて、１２０タイプのブローニフイルムを用いて説明する。図１に示すように、写真用ロールフイルム（以下、ロールフイルムと称する。）１０は、遮光紙付き写真フイルム１１と、この遮光紙付き写真フイルム１１が巻き付けられるスプール１３とからなる。また、図２に示すように、スプール１３は、円筒形状の軸１５と、この軸１５の両端に設けられた遮光フランジ１７とからなり、軸１５の側面には、スリット１９が設けられている。
【００１１】
図３に、遮光紙付き写真フイルム１１を展開して、巻き付け面の外側から観察した図を示す。遮光紙付き写真フイルム１１は、遮光紙２１とその内側に配置される写真フイルム２３とからなり、写真フイルム２３の先端は、固着テープ２５によって遮光紙２１に固定されている。遮光紙２１は写真フイルム２３よりも長尺であり、遮光紙２１の後側を形成するトレーラ部３０及び、前側を形成するリーダ部４０は写真フイルム２３より突出している。
【００１２】
トレーラ部３０及び、リーダ部４０は、遮光紙付き写真フイルム１１がスプール１３に巻き付けられたときに、その外周を覆うように巻き付いて写真フイルム２３を光密にする。このため、遮光に必要な長さをトレーラ部３０及びリーダ部４０に確保できるよう遮光紙２１の長さが調節してある。
【００１３】
未使用のロールフイルム１０において遮光紙付き写真フイルム１１は、トレーラ部３０からスプール１３に巻き付けられている。トレーラ部３０は、端部がスプール１３のスリット１９に挿入されることによって係止され、スプール１３に巻き付けられる。トレーラ部３０が巻き付けられた後に遮光紙付き写真フイルム１１は、写真フイルム２３を内側にするようにしてスプール１３に巻き付けられていき、最後にリーダ部４０が巻き付けられる。リーダ部４０の最端部には、粘着テープ４１が設けてあり、リーダ部４０の端部は、ロール状に巻かれた遮光紙付き写真フイルム１１の外周面に粘着テープ４１によって張り付けられる。これによって、写真フイルム２３は光密に収納される。
【００１４】
一方、撮影の際は、粘着テープ４１が剥がされて遮光紙付き写真フイルム２３は、リーダ部４０の端部が別のスプール１３スリット１９に挿入されて係止され、リーダ部４０から別のスプール１３に巻き付けられていく（図５参照）。写真フイルム２３が全て巻き付けられて撮影が終了後すると、トレーラ部３０が巻き付けられる。こうして、撮影済みのロールフイルム１０では、トレーラ部３０がロール状に巻かれた遮光紙付き写真フイルム１１の外周側に配置される。
【００１５】
トレーラ部３０には、切れ込み３１が設けられている。切れ込み３１は、その開始端３１ａから終了端３１ｂまで一連に設けられ、一部が傾斜した傾斜部３１ｃとなっている。開始端３１ａと終了端３１ｂはともにトレーラ部３０の端部近傍に設けられ、開始端３１ａと終了端３１ｂとの間は開口した折り返し端３２となっている。切れ込み３１は、この折り返し端３２をトレーラ部３０の端部方向へ向けて設けられている。
【００１６】
切れ込み３１の内側部分では脚部３４、係止部３５からなる封印部材３３が形成されている。脚部３４は帯状であり、折り返し端３２から写真フイルム２３方向へ向けて形成されている。前述のように、折り返し端３２は開口しており、切れ込みが設けられていないので、脚部３４の一端はこの折り返し端３２によってトレーラ部３０と接合している。一方、脚部３４の他端は係止部３５と接合している。
【００１７】
係止部３５は、脚部３４側が脚部３４よりも幅の広い「コ」字形状に形成され、その両角部分はそれぞれ挿入部３５ａとなっている。一方、係止部３５の先端側は、傾斜部３１ｃによって幅が徐々に狭められ、係止部３５の先端の幅は脚部３４の幅と等しくなっている。
【００１８】
封印部材３３は、撮影済みのロールフイルム１０の外周に露呈した状態で配置される。また、封印部材３３は、折り返し端３２から係止部３５の先端までの長さを２倍にするとロールフイルム１０の外周の長さよりも係止部３５の長さ分だけ長くなるように形成されている。このため、封印部材３３を折り返し端３２より折り返して、ロールフイルム１０の外周に巻き付けていくと係止部３５は、ロールフイルム１０の外周を回り折り返される前の位置に重なる。
【００１９】
図４に示すように、折り返されたことによって係止部３５は、反対向きとなり折り返される前の位置に重なる。このとき、傾斜部３１ｃによって係止部３５は、脚部側よりも先端側の幅が狭くなっているので、図において斜線で示すように、挿入部３５ａが傾斜部３１ｃの外側部分と重複する。そして、傾斜部３１ｃの外側部分の内周側に挿入部３５ａが挿入されると、係止部３５が切れ込み３１によって係止され、撮影済みのロールフイルム１０は巻き緩まないように封印される。
【００２０】
以下、本発明の作用について説明をする。図１に示すように、未使用のロールフイルム１０において、遮光紙付き写真フイルム１１は、トレーラ部３０を内周側にしてスプール１３に巻き付けられている。一方、リーダ部４０は、外周側に配置され端部が粘着テープ４１によって外周面に張り付けられている。
【００２１】
図５に示すように、撮影の際ユーザーは、この粘着テープ４１を剥がしてリーダー部から別のスプール１３に巻き付けていく。撮影の進行とともに遮光紙付き写真フイルム１１は、別のスプール１３に対して巻き付けられていき、撮影が終了するとトレーラ部３０が巻き付けられる。
【００２２】
トレーラ部３０が最後まで巻き付けられると、ロールフイルム１０の外周面に封印部材３３が露呈する。撮影が終了した後は、巻き付けられた遮光紙付き写真フイルム１１が巻き緩まないように封印を行う必要があるが、ユーザーはこの封印部材３３によって封印を行うことができる。
【００２３】
図６（ａ）に示すように、ユーザーは、封印部材３３を折り返し端３２より折り返し、そのままトレーラ部３０の端部を押さえつけるように、遮光紙付き写真フイルム１１の外周に巻き付けていく。そして、同図（ｂ）に示すように、折り返された係止部３５が外周を１周して、折り返される前の位置に重なるまで巻き付けた後、挿入部３５ａを傾斜部３１ｃから内周側に挿入する。これによって、挿入部３５ａが切れ込み３１によって係止されて、ロールフイルム１０は封印される。
【００２４】
このように、遮光紙に切れ込みを入れることによって封印を行えるようにしたので、遮光紙に封印用の先端を新たに設ける必要が無く、遮光紙の長さを短くすることができる。また、この切れ込みは折り返し端により遮光紙と接合しているので、製造工程で抜きくずが発生することもない。このため、ロールフイルムの製造のコストを抑えることができる。
【００２５】
なお、封印部材の形状は、上記実施形態において説明をした形状に限られない。例えば、図７に示すように、先端が平らな略矢印形状であり、折り返した際に図の斜線部分で重複するようにした封印部材７３を切れ込み７１によって形成し、この封印部材７３によって封印を行うようにしてもよい。また、図８に示すように、略半円形状の先端部を有しており、折り返した際に図の斜線部分で重複するようにした封印部材８３を切れ込み８１によって形成し、この封印部材８３によって封印を行うようにしてもよい。
【００２６】
上記実施形態では、トレーラ部に封印部材を設ける例で説明をしたが、本発明はこれに限られない。リーダ部もトレーラ部と同様に、切れ込みによって封印部材を形成し、封印を行うようにしてもよい。また、上記実施形態では、１２０タイプのロールフイルムを例に説明をしたが、本発明は２２０タイプのロールフイルムにおいても適用可能である。
【００２７】
【発明の効果】
以上詳細に説明したように、本発明の写真用ロールフイルムは、外周側に巻き付けられる遮光紙の端部近傍から遮光紙の長手方向に向かって帯状に延びる脚部と、脚部から幅方向両外側に広がる挿入部と、少なくとも一部が挿入部より挟幅となっている先端部とからなる封印部材を、遮光紙に設けた一連の切れ込みの内側部分によって形成し、この封印部材を脚部の根本から折り返して外周に巻き付けた後、先端部を形成している切れ込みの外側部分の内周側に挿入部を挿入して係止することにより、封印を行うようにしたので、遮光紙の長さを短くできるとともに、製造工程内に抜きくずが発生するといったこともない。このため、製造コストを抑えることができる。
【図面の簡単な説明】
【図１】ロールフイルムの外観斜視図である。
【図２】スプールの外観斜視図である。
【図３】遮光紙付き写真フイルムの展開図である。
【図４】係止部が折り返されたときの様子を表す説明図である。
【図５】遮光紙付き写真フイルムが別のスプールに巻き付けられていく様子を表した説明図である。
【図６】封印の手順を表す説明図である。
【図７】封印部材の形状の例を表す説明図である。
【図８】封印部材の形状の例を表す説明図である。
【符号の説明】
１０  ロールフイルム
１１  遮光紙付き写真フイルム
１３  スプール
１９  スリット
２１  遮光紙
２３  写真フイルム
３０  トレーラ部
３１、７１、８１  切れ込み
３１ａ  開始端
３１ｂ  終了端
３１ｃ  傾斜部
３２  折り返し端
３３、７３、８３  封印部材
３４  脚部
３５  係止部
３５ａ  挿入部
４０  リーダ部
４１  粘着テープ
【図１】
2004245884.tif 000003
【図２】
2004245884.tif 000004
【図３】
2004245884.tif 000005
【図４】
2004245884.tif 000006
【図５】
2004245884.tif 000007
【図６】
2004245884.tif 000008
【図７】
2004245884.tif 000009
【図８】
2004245884.tif 000010